(57)【要約】【課題】再生中に、ユーザがインデックスを打つという作業を意識することなくインデックスが登録できる光ディスク記録再生装置を提供する。【解決手段】光ディスクに圧縮された動画像を記録し、前記動画像を再生する際、ユーザの所望の動画像位置をインデックス位置として記録する光ディスク記録再生装置１において、再生中にコマ送り又は一時停止を行った後、通常再生モードに移った時の最初のフレームを、前記インデックス位置とするインデックス位置設定手段８と、前記位置決めされたインデックス位置を記憶部に格納する記憶手段９と、前記格納された前記インデックス位置を読み出すインデックス情報読み出し手段１１と、前記読み出された前記インデックス位置にジャンプするアクセス手段７と、を有する。【選択図】      図１
2006147071.tif 000002
【特許請求の範囲】
【請求項１】
光ディスクのデータ領域に圧縮された動画像情報を記録し、前記記録された前記圧縮された動画像情報を読み出して再生する際、ユーザの所望の動画像情報位置をインデックス位置として、前記光ディスクに関連する前記インデックス位置を含むインデックス情報を記録する光ディスク記録再生装置において、
前記再生中に、１画面フレーム単位でのコマ送り又は一時停止を行った後、通常再生モードに移った時の最初のフレームを、前記インデックス位置とするインデックス位置設定手段と、
前記インデックス位置設定手段により位置決めされた前記インデックス情報を記憶部に格納する記憶手段と、
前記記憶部に格納された前記インデックス情報を読み出す前記インデックス情報読み出し手段と、
前記インデックス情報読み出し手段で読み出された前記インデックス情報により指定された位置にジャンプするアクセス手段と、
を有することを特徴とする光ディスク記録再生装置。
【請求項２】
光ディスクのデータ領域に圧縮された動画像情報を記録し、前記記録された前記圧縮された動画像情報を読み出して再生する際、ユーザの所望の動画像情報位置をインデックス位置として、前記インデックス位置を含むインデックス情報を記録する光ディスク記録再生装置において、
前記再生中に、１画面フレーム単位でのコマ送り又は一時停止を行った後、通常再生モードに移った時の最初のフレームを、前記インデックス位置とするインデックス位置設定手段と、
前記インデックス位置設定手段により位置決めされた前記インデックス位置を前記光ディスクの管理領域に記録するインデックス情報記録手段と、
前記インデックス情報記録手段により記録された前記インデックス情報を読み出すインデックス情報読み出し手段と、
前記インデックス情報読み出し手段で読み出された前記インデックス情報により指定された位置にジャンプするアクセス手段と、
を有することを特徴とする光ディスク記録再生装置。
【請求項３】
前記インデックス位置は、前記圧縮された動画像のスタート位置からの時間と、前記インデックス位置の画像が含まれるファイルにおける前記画像データの場所を示すファイルオフセット値で示す位置であることを特徴とする請求項１又は２に記載の光ディスク記録再生装置。
【発明の詳細な説明】
【技術分野】
【０００１】
本発明は、ユーザが所望の位置にインデックスを設定して、光ディスクの再生を行う光ディスク記録再生装置に関する。
【背景技術】
【０００２】
光ディスク記録再生装置には、ユーザ操作により任意の再生位置をインデックスに登録し、後で前記インデックスが打たれた位置を簡単にアクセスする機能が備えられているものがある。（例えば、特許文献１参照。）
特許文献１には、ディスク上に記録されている総記録時間、チャプター数、タイムコードを読み取る制御信号読み取り装置と、既に入力されているインデックスの情報を記憶するインデックスメモリと、前記制御信号読み取り装置で読み取った総記録時間、チャプター数、タイムコードの情報を前記インデックスメモリのインデックスの情報と照らし合わせて既に記録されている情報と合致した場合にはディスク番号を認識し、合致しない場合には、新たなディスクと認識し、従来使用されていないディスク番号をディスクに割り振るマイコンと、前記マイコンから制御信号読み取り装置にタイムコードを読み取らせる指令を送って、前記インデックスメモリに前記タイムコードを記憶させるリモコンと、を有し、ユーザが好みのシーンに自由にインデックスを登録することが可能になるため、自分の見たいシーンを見つける手間が簡略化できることが記載されている。
【特許文献１】特開平６−２７５０５６号公報
【発明の開示】
【発明が解決しようとする課題】
【０００３】
しかしながら、インデックスを登録するためには、ユーザが早送り、コマ送り等の特殊再生操作を行って、任意の再生位置をアクセスし、少なくともユーザが意識してインデックスを打つためのリモコン操作を行う必要がある。ユーザが任意の再生位置を探すことは、日常行われている操作であるが、このインデックスを打つという作業は一般に忘れがちである。
【０００４】
そこで、本発明は、前述の課題に鑑みて提案されるものであって、再生中に、インデックスを打つという作業を意識することなく、ユーザが求める位置にインデックスを登録できる光ディスク記録再生装置を提供することを目的とする。
【課題を解決するための手段】
【０００５】
本願発明における第１の発明は、光ディスクのデータ領域に圧縮された動画像情報を記録し、前記記録された前記圧縮された動画像情報を読み出して再生する際、ユーザの所望の動画像情報位置をインデックス位置として、前記光ディスクに関連する前記インデックス位置を含むインデックス情報を記録する光ディスク記録再生装置において、前記再生中に、１画面フレーム単位でのコマ送り又は一時停止を行った後、通常再生モードに移った時の最初のフレームを、前記インデックス位置とするインデックス位置設定手段（画面表示監視部８）と、前記インデックス位置設定手段により位置決めされた前記インデックス情報を記憶部に格納する記憶手段（インデッスク情報登録部９）と、前記記憶部に格納された前記インデックス情報を読み出す前記インデックス情報読み出し手段（インデックス情報取得部１１）と、前記インデックス情報読み出し手段で読み出された前記インデックス情報により指定された位置にジャンプするアクセス手段（ナビゲーション制御部７）と、を有することを特徴とする光ディスク記録再生装置を提供する。
第２の発明は、光ディスクのデータ領域に圧縮された動画像情報を記録し、前記記録された前記圧縮された動画像情報を読み出して再生する際、ユーザの所望の動画像情報位置をインデックス位置として、前記インデックス位置を含むインデックス情報を記録する光ディスク記録再生装置において、前記再生中に、１画面フレーム単位でのコマ送り又は一時停止を行った後、通常再生モードに移った時の最初のフレームを、前記インデックス位置とするインデックス位置設定手段（画面表示監視部８）と、前記インデックス位置設定手段により位置決めされた前記インデックス位置を前記光ディスクの管理領域に記録するインデックス情報記録手段（インデッスク情報登録部９、ディスク書き込み読み出し部１５）と、前記インデックス情報記録手段により記録された前記インデックス情報を読み出すインデックス情報読み出し手段（インデックス情報取得部１１、ディスク書き込み読み出し部１５）と、前記インデックス情報読み出し手段で読み出された前記インデックス情報により指定された位置にジャンプするアクセス手段（ナビゲーション制御部７）と、を有することを特徴とする光ディスク記録再生装置を提供する。
第３の発明は、前記インデックス位置は、前記圧縮された動画像のスタート位置からの時間と、前記インデックス位置の画像が含まれるファイルにおける前記画像データの場所を示すファイルオフセット値で示す位置であることを特徴とする請求項１又は２に記載の光ディスク記録再生装置を提供する。
【発明の効果】
【０００６】
本発明によれば、前記再生中に、１画面フレーム単位でのコマ送り又は一時停止を行った後、通常再生モードに移った時の最初のフレームを、前記インデックス位置とするインデックス位置設定手段と、前記インデックス位置設定手段により位置決めされた前記インデックス情報を記憶部に格納する記憶手段と、前記記憶部に格納された前記インデックス情報を読み出す前記インデックス情報読み出し手段と、前記インデックス情報読み出し手段で読み出された前記インデックス情報により指定された位置にジャンプするアクセス手段と、を有するので、再生中に、インデックスを打つという作業を意識することなくインデックスが登録できる。
【発明を実施するための最良の形態】
【０００７】
以下、本発明の実施形態に係る光ディスク記録再生装置について、図１〜図４を参照して詳細に説明する。
図１は、本発明の実施形態に係る光ディスク記録再生装置を示す図である。図２は、本発明におけるインデックス処理のフローチャートで、（Ａ）はインデックス登録処理、（Ｂ）はインデックスアクセス処理を示す。図３は、本発明の実施形態に係る光ディスク記録再生装置の変形例を示す図である。図４は、本発明の変形例におけるインデックス処理のフローチャートで、（Ａ）はインデックス登録処理、（Ｂ）はインデックスアクセス処理を示す。
【０００８】
図１に示すように、本発明の実施の形態に係る光ディスク記録再生装置１は、既に動画像が記録されているＤＶＤ−ＲＯＭなどの読み出し専用の光ディスク２、ユーザが光ディスク記録再生装置の操作を行うリモコン３、光ディスクの任意の位置をアクセスして記録再生することができる光ディスクドライブ４、前記光ディスクドライブを制御して記録再生を行うドライブ処理部５、前記ドライブ処理部から出力された圧縮画像音声信号の伸張処理を行い外部のディスプレイ装置に画像音声信号を出力するＭＰＥＧデコーダ６を有する。さらに前記光ディスク記録再生装置は、現在画面表示されている画像のフレーム番号を監視してインデックス位置を設定する画面表示監視部８、光ディスクを識別する光ディスク識別部１２、前記インデックス位置を含むインデックス情報を集めたインデックスリストを記憶保存する不揮発性メモリにより構成されたインデックス情報記憶部１０、前記インデックスを識別された光ディスクと関連付けて登録するインデッスク情報登録部９、インデックスを読み出すインデックス情報取得部１１、およびナビゲーション制御部７より構成されている。ナビゲーション制御部７は、光ディスク記録再生装置のシステム制御を担当し、ユーザのリモコン操作を監視して、光ディスク記録再生装置のインデックス処理を含む全てのシステム制御を行う。
【０００９】
次に、再生モードがインデックス自動登録モードの時行われるインデックス自動登録処理について、図２（Ａ）のフローチャートにより説明する。
光ディスクが光ディスク記録再生装置に挿入されると、光ディスク識別部１２はタイトルなどの情報を使って前記光ディスクを識別し、インデックス情報記憶部１０に前記識別された光ディスクのインデックスリストが記憶されているかどうかを調べて、有ればその光ディスクのインデックスリストを使い、無い場合は新規にその光ディスクに関連付けたインデックスリストを作成して使用する（ステップＳ１）。
次に、ユーザがリモコンを操作すると、ナビゲーション制御部７は、前記操作が、光ディスク記録再生装置が早送りやコマ送りなどの変速再生や通常再生を経て一時停止され、かつその後の操作が通常再生かどうかを調べ、前記通常再生である場合は、これをインデックス情報登録要求として検出する（ステップＳ２）。そして、ＭＰＥＧデコーダ６からの画像を監視している画面表示監視部８は、前記通常再生となった時の再生画像の最初のフレームを、インデックスを打つ位置として設定する（ステップＳ３）。
そして、前記インデックス位置を前記その光ディスクに関連付けたインデックスリストに登録する（ステップＳ４）。なお、インデックスリストには、光ディスク別に、光ディスクを特定するための情報とインデックスのついたフレーム位置を示す情報からなるインデックス情報がリストアップされている。またこのフレーム位置は、前記フレーム位置の圧縮画像ストリームファイルのタイトル先頭から数えた画面フレーム番号と、前記フレーム位置に相当するストリームデータが前記圧縮画像ストリームファイル上の先頭から何バイト目にあるかを示すファイルオフセット情報により表現される。
またインデックス情報として、インデックス位置の画像サムネールを持たせることもできる。
【００１０】
次に、インデックスによるアクセス動作について、図２（Ｂ）のフローチャートにより説明する。
光ディスクが光ディスク記録再生装置に挿入されると、光ディスク識別部１２は、前述したインデックス自動登録処理と同様、光ディスクを識別し、インデックス情報記憶部１０にその光ディスクに対応したインデックスリストが記憶されているかどうかを調べ、有る場合はそのインデックスリストを使用する（ステップＳ５）。無い場合は、インデックスアクセスは行わない。ユーザが、リモコンにより、インデックスを指定してアクセスするよう操作すると、ナビゲーション制御部７はこれを検出して（ステップＳ６）、インデックス情報取得部１１は、インデックス情報記憶部１０の前記インデックスリストより、指定されたインデックスの打たれたフレーム位置を取得し（ステップＳ７）、ナビゲーション制御部７は、前記取得したフレーム位置をアクセスして（ステップＳ８）、次のリモコン操作にしたがって再生またコマ送りなどの再生動作を行う。
これにより、例えば、ユーザがリモコンで再生スキップ操作を行うと、前記インデックスリストを参照して、現在再生中のフレームから最も近い指定されたのインデックスを検索して、アクセスすることもできる。
【００１１】
以上のように、本発明の実施の形態によれば、コマ送り又は一時停止した位置でインデックスを登録することができるので、ユーザは再生中、例えば気になった画像で一時停止するだけで、インデックスを打つという作業を意識することなく、インデックスが登録できる。
またこれらインデックス情報は、光ディスク記録再生装置の不揮発性メモリに、光ディスク情報とともに登録記録されるので、後でその光ディスクを再生して見る場合にも、前記インデックス情報によりインデックスアクセスを行うことができる。
【００１２】
次に、ＤＶＤ−ＲＷ、ＤＶＤ−ＲＡＭなど書き込みが可能な光ディスクを使った場合の変形例について、図３を用いて説明する。
本変形例では、インデックスリストは光ディスク上の管理情報ファイルに記録する。このため、インデックスリストと光ディスクの対応は常に保たれるので、光ディスクの識別は不要となり、インデックスリストのインデックス情報には、インデックスの打たれているフレーム位置を示す情報だけがリストアップされていればよい。ただし、光ディスク挿入時のインデックスリストの光ディスクからの読み出し、光ディスク排出時の光ディスクの書き込みが必要となる。
【００１３】
本発明の変形例に示す光ディスク記録再生装置１３の構成は、光ディスク記録再生装置１の構成から光ディスク識別部１２を除去し、ディスク書き込み読み出し部１７を設けたものである。さらにインデッスク情報登録部１４、インデックス情報記憶部１５、インデックス情報取得部１６で処理されるインデックス情報には、光ディスクを特定するための情報は存在しない。それ以外は、光ディスク記録再生装置１と同様である。
【００１４】
次に、図４（Ａ）（Ｂ）に示す変形例の動作について、本発明の実施例の図２（Ａ）（Ｂ）と比較して説明する。
インデックス登録時、変形例では、インデックスリストは、光ディスク挿入時、光ディスクからインデックス情報記憶部１５に読み出して使用する(ステップＳ９)。また光ディスク排出時、インデックス情報記憶部１５に登録されたインデックスリストは、光ディスク上の管理情報部へ書き込まれる(ステップＳ１３)。それ以外のステップは、図２（Ａ）のステップと同様である。
またインデックスアクセス時、変形例では、インデックスリストは、光ディスク挿入時、光ディスクからインデックス情報記憶部１５に読み出して使用する(ステップＳ１４)。それ以外のステップは、図２（Ｂ）のステップと同様である。
【００１５】
本発明実施形態の変形例においても、本発明実施形態と同様な効果が得られる。
【００１６】
なお上述した実施例においては、記録媒体として高密度記録タイプの光ディスクについて説明したが、この発明は光ディスク以外の他の記憶媒体、例えば、磁気ディスクあるいはその他の物理的に高密度記録が可能な記憶媒体にも適用することができる。
【図面の簡単な説明】
【００１７】
【図１】本発明の実施形態に係る光ディスク記録再生装置を示す図である。
【図２】本発明におけるインデックス処理のフローチャートで、（Ａ）はインデックス登録処理、（Ｂ）はインデックスアクセス処理を示す。
【図３】本発明の実施形態に係る光ディスク記録再生装置の変形例を示す図である。
【図４】本発明の変形例におけるインデックス処理のフローチャートで、（Ａ）はインデックス登録処理、（Ｂ）はインデックスアクセス処理を示す。
【符号の説明】
【００１８】
１、１３  光ディスク記録再生装置、２  光ディスク、３  リモコン、４  光ディスクドライブ、５  ドライブ処理部、６  ＭＰＥＧデコーダ、７  ナビゲーション制御部、８  画面表示監視部、９  インデッスク情報登録部、１０、１４  インデックス情報記憶部、１１  インデックス情報取得部、１２  光ディスク識別部、１５  ディスク書き込み読み出し部
【図１】
2006147071.tif 000003
【図２】
2006147071.tif 000004
【図３】
2006147071.tif 000005
【図４】
2006147071.tif 000006